(57)【要約】【課題】  ユーザが銘板をスライド操作するだけで、機種選択スイッチの切換わりに応じて共用ボタンの機能を銘板の表示が明確に指し示すようにする。【解決手段】  ２機種についての個別モードの選択のための複数の共用スイッチと、共用スイッチによって選択される個別モードを第１機種についての個別モードである第１モードと２機種についての個別モードである第２モードとに切り換える機種選択スイッチ４と、共用スイッチの各キートップ３１のそれぞれを個別に露出させる開口５１を複数箇所に有する銘板５とを備える。銘板５の開口５１の幅を拡げて銘板５をスライド可能とする。開口５１の片側と他側とに振り分けて、第１機種の個別モードに対応する表示と第２機種の個別モードに対応する表示とを施す。機種選択スイッチ４のキートップ４１に、銘板５に具備させたスイッチ作用部５２を対応させる。【選択図】        図１
2007266997.tif 000002
【特許請求の範囲】
【請求項１】
第１及び第２の２機種についてのそれぞれの個別モードの選択のために共用される複数の共用スイッチと、それらの共用スイッチによって選択される個別モードを上記第１機種についての個別モードである第１モードと上記第２機種についての個別モードである第２モードとに切り換える機種選択スイッチと、複数の上記共用スイッチの各キートップのそれぞれを個別に露出させる開口を複数箇所に有して当該リモートコンローラに装備された銘板と、を備えるリモートコンローラにおいて、
上記銘板の複数箇所の上記開口の開口幅を拡げてそれらの各開口に共用スイッチのキートップを露出させたままその銘板を往動方向及び復動方向にスライド可能とし、それぞれの開口を挟んでその拡幅方向片側縁部に上記第１の機種の個別モードに対応する表示を施してあると共に、その拡幅方向他側縁部に上記第２の機種の個別モードに対応する表示を施し、
上記機種選択スイッチのキートップに離接されるスイッチ作用部を上記銘板に具備させ、上記銘板が往動方向にスライド動作したときにそのスイッチ作用部が上記機種選択スイッチのキートップに乗り上がってその機種選択スイッチを第１モードに対応する状態に切り換え、上記銘板が復動方向にスライド動作したときにそのスイッチ作用部が上記機種選択スイッチのキートップから離反してその機種選択スイッチを第２モードに対応する状態に切り換えようになっていることを特徴とするリモートコンローラ。
【請求項２】
第１及び第２の２機種についてのそれぞれの個別モードの選択のために共用される複数の共用スイッチと、それらの共用スイッチによって選択される個別モードを上記第１機種についての個別モードである第１モードと上記第２機種についての個別モードである第２モードとに切り換える機種選択スイッチと、複数の上記共用スイッチの各キートップのそれぞれを個別に露出させる開口を複数箇所に有して当該リモートコンローラに装備された銘板と、を備えるリモートコンローラにおいて、
上記銘板の複数箇所の上記開口の開口幅を拡げてそれらの各開口に共用スイッチのキートップを露出させたままその銘板を往動方向及び復動方向にスライド可能とし、それぞれの開口を挟んでその拡幅方向片側縁部に上記第１の機種の個別モードに対応する表示を施してあると共に、その拡幅方向他側縁部に上記第２の機種の個別モードに対応する表示を施し、
上記機種選択スイッチが、上記銘板の往動方向のスライド動作と復動方向のスライド動作とに連動して切換え動作するように構成してあることを特徴とするリモートコンローラ。
【請求項３】
上記機種選択スイッチのキートップに離接されるスイッチ作用部を上記銘板に具備させ、その銘板についての往動方向のスライド動作と復動方向のスライド動作とが選択されることによって、上記スイッチ作用部が上記機種選択スイッチのキートップに離接してその機種選択スイッチを第１モードに対応する状態と第２モードに対応する状態とに切り換えるようになっている請求項２に記載したリモートコンローラ。
【発明の詳細な説明】
【技術分野】
【０００１】
本発明は、リモートコンローラ、特に、ＤＶＤレコーダなどのＤＶＤ装置とＶＣＲなどの磁気テープ装置といったように２つの異なる機種に共用されてそれら２機種の個別モードの選択を遠隔制御するために使用されるリモートコンローラに関する。
【背景技術】
【０００２】
この種のリモートコンローラでは、その高機能化を背景として２機種についてのそれぞれの個別モードを選択するための複数のスイッチを共用した上で、それらの共用スイッチによって選択される個別モードを、一方側の機種についての個別モードと他方側の機種についての個別モードとに切り換えるという対策が講じられている。そして、共用スイッチによって選択される個別モードを、一方側の機種についての個別モードと他方側の機種についての個別モードとに切り換えるための手段として、従来より種々の方法が提案されている（たとえば、特許文献１、特許文献２、特許文献３参照）。
【０００３】
このうち、特許文献１では、ケースに取り付けた操作ボタンを透明とし、その透明操作ボタンを透して視認される表示の施されたシートを、２つの機種に適応するモードを設定するためのモード切換えスイッチの動作に連動させて移動させることにより、透明操作ボタンを透して視認される表示をそれぞれの機種に対応したものに切り換えることが提案されている。
【０００４】
また、特許文献２では、複数枚の表示板を個別にスライドさせることによって、各機種に対応した個別モードを視認させ得るようにすることが提案されている。
【０００５】
さらに、特許文献３では、機種ごとに用意されたキーカバーを使い分けることが提案されている。
【０００６】
さらに、特許文献４では、各機種ごとに対応して設けた２つの機種選択スイッチを押し分けると共に、その押し分けによって表示窓の色を機種ごとに色分けするということが提案されている。
【特許文献１】特開平２−２５４８９６号公報
【特許文献２】特開平２−２５４８９６号公報
【特許文献３】実開平６−７３８７号公報
【特許文献４】特開２００５−１０１７９４号公報
【発明の開示】
【発明が解決しようとする課題】
【０００７】
しかしながら、特許文献１による提案は、モード切換えスイッチの動作にシートの移動を連動させるのに複雑な構成を採用することが余儀なくされ、特許文献２や特許文献３による提案は、複数枚の表示板やキーカバーが必要になり、特許文献４による提案は、表示窓の色分けを行うのに複雑な構成を採用することが余儀なくされるという問題があった。
【０００８】
ところで、２機種についてのそれぞれの個別モードの選択のために共用される複数の共用スイッチを備えたリモートコンローラに関してユーザにとっての使い勝手は、複数の共用ボタンのそれぞれの機能を指し示す銘板の表示を視覚によって正確に認識することができるようになっていることによって格段に向上するものと考えられる。
【０００９】
本発明は以上の問題や状況に鑑みてなされたものであり、銘板をユーザがスライド操作するだけで機種選択スイッチが自動的に切り換わり、しかも、そのような機種選択スイッチの切換わりに応じて複数の共用ボタンのそれぞれの機能が、その銘板の表示によって明確に指し示されるような対策を講じることにより、当該リモートコンローラの構成の複雑化や組立工数の増加に伴う組立コストの高騰を回避した上で、ユーザにとっての使い勝手を格段に向上させることのできるリモートコンローラを提供することを目的とする。
【課題を解決するための手段】
【００１０】
本発明に係るリモートコンローラは、第１及び第２の２機種についてのそれぞれの個別モードの選択のために共用される複数の共用スイッチと、それらの共用スイッチによって選択される個別モードを上記第１機種についての個別モードである第１モードと上記第２機種についての個別モードである第２モードとに切り換える機種選択スイッチと、複数の上記共用スイッチの各キートップのそれぞれを個別に露出させる開口を複数箇所に有して当該リモートコンローラに装備された銘板と、を備えている。そして、上記銘板の複数箇所の上記開口の開口幅を拡げてそれらの各開口に共用スイッチのキートップを露出させたままその銘板を往動方向及び復動方向にスライド可能とし、それぞれの開口を挟んでその拡幅方向片側縁部に上記第１の機種の個別モードに対応する表示を施してあると共に、その拡幅方向他側縁部に上記第２の機種の個別モードに対応する表示を施し、上記機種選択スイッチが、上記銘板の往動方向のスライド動作と復動方向のスライド動作とに連動して切換え動作するように構成してある。
【００１１】
この構成であると、銘板を往動方向にスライドさせたり復動方向にスライドさせたりすると、その動作に連動して機種選択スイッチが切換え動作すると共に、共用スイッチの各キートップの開口内の位置が相対的に変化し、共用スイッチのキートップが開口内で銘板のスライド方向とは反対側に偏って位置するようになる。このため、ユーザは、銘板に施されている第１の機種の個別モードに対応する表示を使うか、第１の機種の個別モードに対応する表示を使うか、ということを目視で選択してその銘板をスライドさせるだけで済み、そうすることによって機種選択スイッチによる第１モードと第２モードとの切換えが自動的に行われる。
【００１２】
本発明では、上記機種選択スイッチのキートップに離接されるスイッチ作用部を上記銘板に具備させ、その銘板についての往動方向のスライド動作と復動方向のスライド動作とが選択されることによって、上記スイッチ作用部が上記機種選択スイッチのキートップに離接してその機種選択スイッチを第１モードに対応する状態と第２モードに対応する状態とに切り換えるようになっていることが望ましい。これによれば、銘板にスイッチ作用部を具備させ、かつ、銘板のスライド動作に伴うスイッチ作用部の出退位置に機種選択スイッチのキートップを配備しておくだけで済むので、組立工数を増やしたり部品点数を増やしたりすることなく当該リモートコンローラを安価に提供することが可能になる。
【００１３】
本発明に係るリモートコンローラは、第１及び第２の２機種についてのそれぞれの個別モードの選択のために共用される複数の共用スイッチと、それらの共用スイッチによって選択される個別モードを上記第１機種についての個別モードである第１モードと上記第２機種についての個別モードである第２モードとに切り換える機種選択スイッチと、複数の上記共用スイッチの各キートップのそれぞれを個別に露出させる開口を複数箇所に有して当該リモートコンローラに装備された銘板と、を備えるリモートコンローラにおいて、上記銘板の複数箇所の上記開口の開口幅を拡げてそれらの各開口に共用スイッチのキートップを露出させたままその銘板を往動方向及び復動方向にスライド可能とし、それぞれの開口を挟んでその拡幅方向片側縁部に上記第１の機種の個別モードに対応する表示を施してあると共に、その拡幅方向他側縁部に上記第２の機種の個別モードに対応する表示を施し、上記機種選択スイッチのキートップに離接されるスイッチ作用部を上記銘板に具備させ、上記銘板が往動方向にスライド動作したときにそのスイッチ作用部が上記機種選択スイッチのキートップに乗り上がってその機種選択スイッチを第１モードに対応する状態に切り換え、上記銘板が復動方向にスライド動作したときにそのスイッチ作用部が上記機種選択スイッチのキートップから離反してその機種選択スイッチを第２モードに対応する状態に切り換えようになっている、という構成を採用することによっていっそう具体化される。この発明の作用については後述する実施形態を参照して詳細に説明する。
【発明の効果】
【００１４】
以上のように、本発明によれば、銘板をユーザがスライド操作するだけで機種選択スイッチが自動的に切り換わり、しかも、そのような機種選択スイッチの切換わりに応じて複数の共用ボタンのそれぞれの機能が、その銘板の表示によって明確に指し示されるようになるので、ユーザにとっての使い勝手に優れたリモートコンローラを提供することが可能になる。また、部品を追加したり組立工数を増やしたりする必要がないので、ユーザにとっての使い勝手のよいリモートコンローラを安価に提供することが可能になる。
【発明を実施するための最良の形態】
【００１５】
図１は本発明の実施形態に係るリモートコンローラの共用スイッチが第１モードに設定されている状態を説明的に示した概略平面図、図２は図１のリモートコンローラの概略縦断側面図である。図３は同共用スイッチが第２モードに設定されている状態を説明的に示した概略平面図、図４は図３のリモートコンローラの概略縦断側面図である。
【００１６】
このリモートコンローラは、偏平な箱形の筐体（ケース）１の内部に、スイッチパターンを備える配線基板２と、その配線基板２に重ね合わされたラバー３と、機種選択スイッチ４と、銘板５とを備えている。
【００１７】
配線基板２のスイッチパターンには、第１及び第２の２機種についてのそれぞれの個別モードの選択のために共用される複数の共用スイッチ（不図示）が形成されていて、それらの共用スイッチのそれぞれが、ラバー３の複数箇所に設けられているキートップ３１の押込復帰動作によって個別に切換えられるようになっている。そして、複数箇所のキートップ３１のそれぞれが、筐体１に開設されている個別の開口（不図示）からその上方に突き出ていると共に、その筐体１に重なり状に装備された銘板５に各別に設けられている開口５１から露出している。
【００１８】
このリモートコンローラにおいて、機種選択スイッチ４は、上記した共用スイッチによって選択される個別モードを第１及び第２の２つの機種についての異なる個別モードに切り換える作用、言い換えると、第１機種についての個別モードである第１モードと第２機種についての個別モードである第２モードとに切り換える作用を果たす。そして、第１及び第２の２つの機種には、たとえば、ディスク装置（ＤＶＤやＣＤを取り扱うための装置）と磁気テープ装置（磁気テープを取り扱うための装置）との２機種、ディスク装置とテレビジョン受像機との２機種などが該当する。
【００１９】
この実施形態において、銘板５に開設されて共用スイッチのキートップ３１が露出している開口５１のそれぞれは、縦方向に開口幅が拡げられてその縦幅がキートップ３１の縦幅よりも広くなっている。そして、銘板５には、それぞれの開口５１の上側領域Ｚ１に第１機種の個別モードに対応する表示が施され、それぞれの開口５１の下側領域Ｚ２に第２機種の個別モードに対応する表示が施されている。また、銘板５は開口５１にキートップ３１を露出させたままその開口５１の拡幅方向（往動方向及び復動方向）にスライド可能として筐体１に装備されている。そのため、図１のように銘板５を往動方向Ａにスライドさせてキートップ３１を開口５１の上側に偏った位置に移動させると、開口５１の上側領域Ｚ１に表示されている第１機種についての個別モードの表示がキートップ３１を指し示すようになるのに対し、図３のように銘板５を復動方向Ｂにスライドさせてキートップ３１を開口５１の下側に偏った位置に移動させると、開口５１の下側領域Ｚ２に表示されている第２機種についての個別モードの表示がキートップ３１を指し示すようになる。
【００２０】
この実施形態において、機種選択スイッチ４のキートップ４１は、銘板５に区画形成されてその端部に具備されたスイッチ作用部５２が、その銘板５の往動方向Ａのスライド動作と復動方向Ｂのスライド動作とによって出退される箇所に配備されている。そして、図２のように、銘板５が往動方向Ａにスライド動作してスイッチ作用部５２が後退したときには、機種選択スイッチ４のキートップ４１が突出してその機種選択スイッチ４が上記した第２モードに対応する状態に切り換わるのに対し、図４のように、銘板５が復動方向Ｂにスライド動作してスイッチ作用部５２が突出したときには、そのスイッチ作用部５２が機種選択スイッチ４のキートップ４１に乗り上がってそのキートップ４１が押し込まれ、それによって機種選択スイッチ４が第１モードに対応する状態に切り換わるようになっている。
【００２１】
なお、銘板５をスライド可能に筐体１に保持させる手段としては、たとえば、筐体１に形成したガイド溝に銘板５の両端を摺動可能に嵌め込むといった手段のほか、公知のスライドのための手段を採用することが可能である。
【００２２】
この実施形態のリモートコンローラによれば、リモートコンローラを手で掴んだユーザが銘板５を指で往動方向Ａ又は復動方向Ｂにスライドさせるだけで、機種選択スイッチ４が第１モード又は第２モードに対応する状態に切り換わる。また、銘板５の開口５１の上側と下側とに施されている表示のうち、上側の表示は、機種選択スイッチ４が第１モードに対応する状態に切り換わったときにキートップ３１を指し示すようになるのに対し、下側の表示は、機種選択スイッチ４が第２モードに対応する状態に切り換わったときにキートップ３１を指し示すようになる。したがって、ユーザは、銘板５のスライド動作によって切り換えた第１又は第２のモードのいずれかにしたがって、キートップ３１を指し示す表示を見ながらそのキートップ３１を操作することが可能になる。
【００２３】
この実施形態では、銘板５の開口５１を拡幅してその銘板５をスライド可能とし、かつ、銘板５のスイッチ作用部５２と機種選択スイッチ４との位置関係を適切に定めるだけで、ユーザが目視によって正確に現在選択されている機種が何かを正確に知り得る。したがって、部品を追加することなく使い勝手のよいリモートコンローラを提供することが可能になり、そのことがリモートコンローラの量産性を高めることに役立つという利点がある。
【図面の簡単な説明】
【００２４】
【図１】本発明の実施形態に係るリモートコンローラの共用スイッチが第１モードに設定されている状態を説明的に示した概略平面図である。
【図２】図１のリモートコンローラの概略縦断側面図である。
【図３】同共用スイッチが第２モードに設定されている状態を説明的に示した概略平面図である。
【図４】図３のリモートコンローラの概略縦断側面図である。
【符号の説明】
【００２５】
４  機種選択スイッチ
５  銘板
３１  共用スイッチのキートップ
４１  機種選択スイッチのキートップ
５１  開口
５２  スイッチ作用部
Ａ  往動方向
Ｂ  復動方向
【図１】
2007266997.tif 000003
【図２】
2007266997.tif 000004
【図３】
2007266997.tif 000005
【図４】
2007266997.tif 000006